(57)【要約】  端末デバイスは、セルラーワイヤレス遠隔通信ネットワークにおいて、基地局からパラメータデータを受信するように構成された受信機回路と、端末デバイスを一意に識別する識別子を記憶するように構成された記憶デバイスと、端末デバイスを制御するように構成された制御回路であって、アイドルモードで動作する場合、受信されたパラメータデータと記憶された一意の識別子とに由来する少なくとも１つのセル再選択パラメータを用いてセル再選択を実行する、制御回路とを備える。【選択図】図５
2018531541.tif 000002
【特許請求の範囲】
【請求項１】
セルラーワイヤレス遠隔通信ネットワークにおいて、基地局からパラメータデータを受信するように構成された受信機回路と、
端末デバイスを一意に識別する識別子を記憶するように構成された記憶デバイスと、
前記端末デバイスを制御するように構成された制御回路であって、アイドルモードで動作する場合、前記受信されたパラメータデータと前記記憶された一意の識別子とに由来する少なくとも１つのセル再選択パラメータを用いてセル再選択を実行する、制御回路とを備える、端末デバイス。
【請求項２】
前記識別子はＵＥの識別子である、請求項１に記載の端末デバイス。
【請求項３】
前記ＵＥの識別子は国際移動体加入者識別番号（ＩＭＳＩ）である、請求項２に記載の端末デバイス。
【請求項４】
前記セル再選択パラメータは、周波数又はセルについての複数のセル再選択のオフセット又は複数の絶対優先度のうちの１つである、請求項１に記載の端末デバイス。
【請求項５】
前記パラメータデータは、前記周波数又はセルについての複数のセル再選択のオフセット又は複数の絶対優先度を含む、請求項４に記載の端末デバイス。
【請求項６】
前記制御回路は、前記一意の識別子に基づいて優先度又はオフセットを計算するように構成された、請求項４に記載の端末デバイス。
【請求項７】
前記パラメータデータは、（ｉ）特定のオフセット値又は優先度を適用する端末デバイスの割合を制御するパラメータ、又は（ｉｉ）適用されるオフセットの量又は相対的な優先度を制御するパラメータのいずれかをさらに含む、請求項４に記載の端末デバイス。
【請求項８】
前記オフセット値は、デフォルトの割合とは異なる値を提供する、請求項４に記載の端末デバイス。
【請求項９】
前記オフセット値は、デフォルトの割合とは異なる値を提供する、請求項６に記載の端末デバイス。
【請求項１０】
前記パラメータデータは、前記記憶された一意の識別子に適用されるオフセットをさらに含む、請求項７に記載の端末デバイス。
【請求項１１】
請求項１に記載の端末デバイスと通信する基地局を含む通信システム。
【請求項１２】
セルラーワイヤレス遠隔通信ネットワークにおいて、端末デバイスを動作させる方法であって、前記方法は、
前記セルラーワイヤレス遠隔通信ネットワークにおいて、基地局からパラメータデータを受信することと、
前記端末デバイスを一意に識別する識別子を記憶することと、
前記端末デバイスを制御することであって、アイドルモードで動作する場合、前記受信されたパラメータデータと前記記憶された一意の識別子とに由来する少なくとも１つのセル再選択パラメータを用いてセル再選択を実行する、ことを含む方法。
【請求項１３】
前記識別子はＵＥの識別子である、請求項１２に記載の方法。
【請求項１４】
前記ＵＥの識別子は国際移動体加入者識別番号（ＩＭＳＩ）である、請求項１３に記載の方法。
【請求項１５】
前記セル再選択パラメータは、周波数又はセルについての複数のセル再選択のオフセット又は複数の絶対優先度のうちの１つである、請求項１２に記載の方法。
【請求項１６】
前記パラメータデータは、前記周波数又はセルについての複数のセル再選択のオフセット又は複数の絶対優先度を含む、請求項１５に記載の方法。
【請求項１７】
前記一意の識別子に基づいて優先度又はオフセットを計算することを含む、請求項１５に記載の方法。
【請求項１８】
前記パラメータデータは、（ｉ）特定のオフセット値又は優先度を適用する端末デバイスの割合を制御するパラメータ、又は（ｉｉ）適用されるオフセットの量又は相対的な優先度を制御するパラメータのいずれかをさらに含む、請求項１５に記載の方法。
【請求項１９】
前記オフセット値は、デフォルトの割合とは異なる値を提供する、請求項１５に記載の方法。
【請求項２０】
前記オフセット値は、デフォルトの割合とは異なる値を提供する、請求項１７に記載の方法。
【請求項２１】
前記パラメータデータは、前記記憶された一意の識別子に適用されるオフセットをさらに含む、請求項１８に記載の方法。
【請求項２２】
コンピュータにロードされた場合、前記コンピュータを請求項１２に記載の方法を実行させるように構成する、コンピュータ可読命令を含むコンピュータプログラム製品。
【発明の詳細な説明】
【技術分野】
【０００１】
本開示は、遠隔通信システムにおけるデータを通信するための遠隔通信デバイス及び方法に関する。
【背景技術】
【０００２】
本願明細書に提供される「背景技術」の記載は、本開示の内容を概略的に提示するためにある。本願に挙げられた発明者らの研究は、この背景技術の項に記載される限りにおいて、従来技術とみなすことが適切ではあり得ず、又は出願時の技術水準の一部をなし得ない本記載の観点と同様に、明示的にも暗示的にも本発明の従来技術又は技術水準として認められるものではない。
【０００３】
複数のキャリアを配置することは、セルラーネットワーク内、特にトラフィックのホットスポットにおいて必要とされる、さらなるキャパシティの増加に取り組むための最も一般的な解決方法の１つである。このことは、３ＧＰＰ  ＴＳＧ  ＲＡＮミーティング第６７回（ＲＰ−１５０６１１）におけるリリース１３、マルチキャリア負荷（ロード）分散のための作業項目にて知られている。これは、効率良い動作及び最適なリソース利用のために、複数のＬＴＥキャリア間でバランスのとれた負荷を必要とする。複数のキャリアに亘っての負荷のバランシングは、所定のエリアにおいて利用可能である様々なキャパシティ及び様々な数のキャリアに起因して生じる様々な配置のシナリオ、特に様々な帯域の様々な帯域幅のマルチキャリアを有する非連続的なスペクトラムが含まれる場合、様々な数のキャリアが異なるエリアにおいて異なるキャパシティを有するという結果となってしまう配置のシナリオを考慮に入れる必要がある。
【０００４】
アイドルモードについては、ＬＴＥにおけるセル内又は他のセルラーネットワークのセル内における、アイドルモードの端末のデバイス密度とアクティブな端末デバイスのトラフィック負荷との間には強い相関関係が存在することが観察されている。それゆえ、アイドルモードの端末デバイスの分散をコントロールすることはトラフィック負荷のバランシングにとって必須の要素である。しかしながら、再選択の測定閾値、ブロードキャスト、又は専用の優先度を調整する等の現在の仕様化されているメカニズムでは、アイドルモードでの負荷のバランシングを行うことは困難である。さらに、現在のアイドルモードでの負荷のバランシングのメカニズムにおける弱点は、負荷のバランシングのために、呼確立の後のリダイレクション又はハンドオーバ（ＨＯ）への部分的な依存を導いていることである。これはアクティブなリダイレクション／ＨＯをさらに増加させ、シグナリングの負荷及びＨＯ失敗率を増加させる。また、負荷のバランスがＨＯ及びリダイレクションによって達成されたとても、端末デバイスはアイドルモードのセル再選択ルールに最終的に従うため、その状況は短期間しか続かないだろう。こうした状況は、同一の周波数レイヤにおける異なるスモールセル内の負荷が異なり、ピンポン現象やアイドル時の端末デバイスの不均一な分散を導くヘテロジニアスネットワークのシナリオにおいて、さらに悪化する。
【０００５】
他方で、コネクテッドモードについては、アイドル時の負荷のバランシングされたネットワークは、ユーザスループットを最大化する一方で、アクティブなトラフィックのオーバーロードの見込みを最小化しようとすべきである。しかしながら、ＨＯ及び再選択の測定基準としての現在の基準信号受信品質（ＲＳＲＱ）ベースの測定結果は、達成可能なスループットを適切に表していない場合がある。信号対情報雑音比（ＳＩＮＲ）等の他の測定結果は、ユーザのために適切なスループットを達成するようにアクティブなトラフィックの負荷のバランシングをしつつ、他方で同時に不要なＨＯ又はリダイレクションを回避し得るのにさらに適切であり得る。
【先行技術文献】
【非特許文献】
【０００６】
【非特許文献１】Ｈａｒｒｉｓ  Ｈｏｌｍａ及びＡｎｔｔｉ  Ｔｏｓｋａｌａ、  “ＬＴＥ  ｆｏｒ  ＵＭＴＳ：  ＯＦＤＭＡ  ａｎｄ  ＳＣ−ＦＤＭＡ  Ｂａｓｅｄ  Ｒａｄｉｏ  Ａｃｃｅｓｓ”、  Ｗｉｌｅｙ  ２００９、ＩＳＢＮ  ９７８−０−４７０−９９４０１−６；
【発明の概要】
【発明が解決しようとする課題】
【０００７】
それゆえ、負荷のバランシングは、コネクテッドモードの間の負荷を導いてしまうＨＯ又はリダイレクションの必要性を最小化するために、ＲＣＣ接続セットアップの際には既に達成されているべきであることが好ましい。本開示の目的はこの問題に取り組むことである。
【課題を解決するための手段】
【０００８】
本開示によれば、セルラーワイヤレス遠隔通信ネットワークにおいて、基地局からパラメータデータを受信するように構成された受信機回路と、端末デバイスを一意に識別する識別子を記憶するように構成された記憶デバイスと、端末デバイスを制御するように構成された制御回路であって、アイドルモードで動作する場合、受信されたパラメータデータと記憶された一意の識別子とに由来する少なくとも１つのセル再選択パラメータを用いてセル再選択を実行する、制御回路とを備える端末デバイスが提供される。
【０００９】
本開示のさらなる様々な側面は、添付の特許請求の範囲によって規定されるものであり、遠隔通信デバイス、データを通信する方法、及び遠隔津スループット新デバイスのための回路を含むものである。
【００１０】
本開示のより完全な理解及び本開示に付帯する利点の多くは、添付の図面と関連して考慮される場合、以下の詳細な記載を参照することによってより良く理解されるのと同様に、容易に得られるであろう。図面において、同様の参照数字は同一又は対応の部分を示す。
【図面の簡単な説明】
【００１１】
【図１】図１はモバイル遠隔通信システムの一例を示す概略図を提供する。
【図２】図２はＬＴＥ無線フレームを示す概略図を提供する。
【図３】図３はＬＴＥダウンリンクの無線サブフレームの一例を示す概略図を提供する。
【図４】図４は例示的なワイヤレス遠隔通信システムを概略的に示す。
【図５】図５は端末デバイスによって実行されるプロセスのフローチャートを示す。
【発明を実施するための形態】
【００１２】
図１は、ＬＴＥの原理に従って動作するモバイル遠隔通信ネットワーク／システム１００の一部の基本的な機能を示す概略図であり、以下でさらに記載されるように、本開示の実施形態を実施するように適合されてよい。図１の様々な要素及びそれらの各々の動作モードは周知のものであり、３ＧＰＰ（ＲＴＭ）団体によって管理されている関連規格において規定されており、且つまた、例えばＨｏｌｍａ  Ｈ．及びＴｏｓｋａｌａ  Ａ等、本主題についての多くの書籍において記載されている（非特許文献１）。以下で具体的に記載されない遠隔通信ネットワークの動作的な側面は、例えば上記の関連規格に従い、任意の既知の技術に従って実施され得ることは理解されるであろう。
【００１３】
ネットワーク１００はコアネットワーク１０２に接続された複数の基地局１０１を含む。各基地局はカバレージ・エリア１０３（すなわちセル）を提供し、この中でデータが端末デバイス１０４へ、及び当該端末デバイス１０４から通信可能である。データは基地局１０１から無線ダウンリンクを介して個々のカバレージ・エリア１０３内にある端末デバイス１０４に送信される。データは端末デバイス１０４から無線アップリンクを介して基地局１０１へ送信される。アップリンク及びダウンリンク通信はネットワーク１００のオペレータによって使用が認可された無線リソースを用いて行われる。コアネットワーク１０２は個々の基地局１０１を介して端末デバイス１０４へ、及び当該端末デバイス１０４からデータをルーティングし、例えば認証、モビリティマネジメント、課金等の機能を提供する。端末デバイスは移動局、ユーザ機器（ＵＥ）、ユーザ端末、端末、移動無線等とも呼ばれ得る。基地局はトランシーバ局／ｎｏｄｅＢ／ｅ−ｎｏｄｅＢなどとも呼ばれ得る。
【００１４】
３ＧＰＰにより規定されるＬＴＥ（Ｌｏｎｇ  Ｔｅｒｍ  Ｅｖｏｌｕｔｉｏｎ）のアーキテクチャに従って構成されるようなモバイル遠隔通信システムは、無線ダウンリンク及び無線アップリンクに対して、直交周波数分割多重（ＯＦＤＭ）をベースにしたインタフェースを用いる（ダウンリンクに対しては所謂ＯＦＤＭＡを用い、アップリンクに対しては所謂ＳＣ−ＦＤＭＡを用いる）。図２は、ＯＦＤＭベースのＬＴＥダウンリンク無線フレーム２０１を示す概略図を示す。ＬＴＥダウンリンク無線フレームは、ＬＴＥ基地局（拡張ＮｏｄｅＢとして知られる）から伝送され、１０ｍｓである。ダウンリンク無線フレームは１０個のサブフレームを含み、各サブフレームは１ｍｓである。プライマリー同期信号（ＰＳＳ）及びセカンダリー同期信号（ＳＳＳ）はＬＴＥフレームの第１及び第６のサブフレーム内に伝送される。物理ブロードキャストチャネル（ＰＢＣＨ）はＬＴＥフレームの第１のサブフレーム内に伝送される。
【００１５】
図３は、例示的な従来のダウンリンクのＬＴＥサブフレームの構造を示すグリッドの概略図である。サブフレームは１ｍｓの期間に亘って伝送される所定数のシンボルを含む。各シンボルはダウンリンクの無線キャリアの帯域幅に亘って分散される所定数の直交サブキャリアを含む。
【００１６】
図３に示される例示的なサブフレームは、１４個のシンボル、及びネットワーク１００のオペレータにより使用が認可された２０ＭＨｚの帯域幅に亘って広げられた１２００のサブキャリアを含み、この例は、フレームにおける第１のサブフレームである（ゆえにＰＢＣＨを含む）。ＬＴＥにおける伝送のための物理リソースの最小の割り当ては、１つのサブフレームに亘って伝送される１２個のサブキャリアを含むリソースブロックである。明確とするために、図３において、個々の各リソース要素は図示されず、その代わり、サブフレームグリッドにおける個々の各ボックスは、１つのシンボル上にて伝送される１２個のサブキャリアに対応する。
【００１７】
図３は、網掛けにて、４つのＬＴＥ端末３４０、３４１、３４２、３４３のためのリソース割り当てを示す。例えば、第１のＬＴＥ端末（ＵＥ１）のためのリソース割り当て３４２は、１２個のサブキャリアの５つのブロック（つまり６０のサブキャリア）に亘って延び、第２のＬＴＥ端末（ＵＥ２）のためのリソース割り当て３４３は、１２個のサブキャリアの６つのブロック（つまり７２のサブキャリア）に亘って延びている、等である。
【００１８】
制御チャネルデータは、サブフレームの第１の「ｎ」個のシンボルを含むサブフレームの制御領域３００（図３において点による色付けで示されている）において伝送されることができる。ここで「ｎ」は３ＭＨｚ以上のチャネル帯域幅について１〜３個のシンボルの間で可変であってよく、また「ｎ」は１．４ＭＨｚのチャネル帯域幅について２〜４個のシンボルの間で可変であってよい。具体的な例を提供する目的のために、以下の記載は３ＭＨｚ以上のチャネル帯域幅を用いてのホストキャリアに関するものであり、従って「ｎ」の最大値は３（図３の例にあるように）である。制御領域３００において伝送されたデータは、物理ダウンリンク制御チャネル（ＰＤＣＣＨ）、物理制御フォーマット・インジケータ・チャネル（ＰＣＦＩＣＨ）、及び物理ＨＡＲＱインジケータ・チャネル（ＰＨＩＣＨ）上で伝送されたデータを含む。これらのチャネルは物理レイヤ制御情報を伝送する。制御チャネルデータはまた、又は代替的に、サブフレームの時間期間に実質的に等しい時間の間、又は「ｎ」個のシンボルの後で残っているサブフレームの時間期間に実質的に等しい時間の間、複数のサブキャリアを含むサブフレームの第２の領域において伝送されることができる。第２の領域において伝送された制御情報は、拡張型物理ダウンリンク制御チャネル（ＥＰＤＣＣＨ）上で伝送される。このチャネルは物理レイヤ制御情報を伝送するが、それに加えて、この情報は他の物理レイヤ制御チャネル上で伝送されてもよい。
【００１９】
ＰＤＣＣＨ及びＥＰＤＣＣＨは、サブフレームのどのサブキャリアが特定の端末（又は全ての端末或いは端末のサブセット）に割り当てられているかを示す制御データを含む。これは、物理レイヤ制御シグナリング／データと呼ばれ得る。このように、図３において示されるサブフレームの制御領域３００において伝送されるＰＤＣＣＨ及び／又はＥＰＤＣＣＨのデータは、ＵＥ１が参照番号３４２によって識別されるリソースのブロックに割り当てられており、ＵＥ２が参照番号３４３によって識別されるリソースのブロックに割り当てられている等を示すであろう。
【００２０】
ＰＣＦＩＣＨは、制御領域のサイズ（すなわち、３ＭＨｚ以上のチャネル帯域幅について１〜３個のシンボルの間、及び１．４ＭＨｚのチャネル帯域幅については２〜４個のシンボルの間）を示す制御データを含む。
【００２１】
ＰＨＩＣＨは、以前に伝送されたアップリンクのデータがネットワークによって首尾良く受信されているかどうかを示すＨＡＲＱ（ハイブリッド自動再送要求）データを含む。
【００２２】
時間−周波数のリソースグリッドの中央の帯域３１０におけるシンボルは、プライマリー同期信号（ＰＳＳ）、セカンダリー同期信号（ＳＳＳ）、及び物理ブロードキャストチャネル（ＰＢＣＨ）を含む情報の伝送のために用いられる。この中央の帯域３１０は、典型的には７２のサブキャリアの幅である（１．０８ＭＨｚの伝送帯域幅に対応する）。ＰＳＳ及びＳＳＳは、いったん検出されると、ＬＴＥ端末デバイスに、フレーム同期を達成させ、且つダウンリンク信号を伝送する拡張型ＮｏｄｅＢの物理レイヤセル識別子を決定させることができる同期信号である。ＰＢＣＨは、ＬＴＥ端末がセルに適切にアクセスするために使用するパラメータを含むマスター情報ブロック（ＭＩＢ）を含むセルについての情報を搬送する。ダウンリンクデータチャネルとも呼ばれ得る物理ダウンリンク共有チャネル上で端末に伝送されるデータは、サブフレームの他のリソース要素において伝送されることができる。概して、ＰＤＳＣＨはユーザプレーンのデータと非物理レイヤのコントロールプレーンのデータ（例えば無線リソース制御（ＲＲＣ）及び非アクセス層（ＮＡＳ）シグナリング）との組み合わせを搬送する。ＰＤＳＣＨ上で搬送されるユーザプレーンのデータ及び非物理レイヤのコントロールプレーンのデータはより高次のレイヤデータ（すなわち物理レイヤよりも高次の層に関連付けられたデータ）と呼ばれ得る。
【００２３】
図３はまた、システム情報を含み、且つＲ３４４の帯域幅に亘って延びているＰＤＳＣＨの領域を示す。従来のＬＴＥのサブフレームは、明確さのために図３においては示されない基準信号をも含む。
【００２４】
ＬＴＥチャネルにおけるサブキャリアの数は、伝送ネットワークの構成に依存して様々であり得る。典型的には、このバリエーションは１．４ＭＨｚのチャネル帯域幅内に含まれる７２のサブキャリアから、２０ＭＨｚのチャネル帯域幅（図２に概略的に示されるように）内に含まれる１２００のサブキャリアである。当該技術分野において既知であるように、ＰＤＣＣＨ、ＰＣＦＩＣＨ、及びＰＨＩＣＨ上で伝送されるデータは、典型的には、周波数ダイバーシティを提供するために、サブフレームの帯域幅全体に亘ってサブキャリア上において分散される。
【００２５】
基地局１０１と端末デバイス１０４との間の通信は、従来は、ネットワーク１００のオペレータによる排他的使用に対して認可された無線リソースを用いて利用されていた。これらの認可された無線リソースは電波スペクトル全体の一部でしかない。ネットワーク１００の環境内にある他のデバイスは、他の無線リソースを用いてワイヤレスに通信を行っていてよい。例えば、異なるオペレータのネットワークは、異なるオペレータによる使用に対して認可されている異なる無線リソースを用いて、同じ地理的領域内で動作していてもよい。他のデバイスが、例えばＷｉ−Ｆｉ又はＢｌｕｅｔｏｏｔｈの技術を用いて、非認可の電波スペクトル帯において他の無線リソースを用いて動作していてもよい。
【００２６】
図４は本開示の一実施形態に係る遠隔通信システム４００を概略的に示す。この例における遠隔通信システム４００は、ＬＴＥ型のアーキテクチャに広く基づいたものである。従って、遠隔通信システム４００の動作の多くの側面は標準的なもので、十分に理解されるものであり、簡潔さのために本明細書においては詳細には記載されない。本明細書において特段に記載されていない遠隔通信システム４００の動作的側面は、任意の既知の技術、例えば確立されたＬＴＥ規格及びそれらの既知のバリエーションに従って実施されてよい。
【００２７】
遠隔通信システム４００は、無線ネットワーク部分に接続されたコアネットワーク部分（進化したパケットコア）４０２を含む。無線ネットワーク部分は、基地局（拡張型ｎｏｄｅＢ）４０４、第１の端末デバイス４０６、及び第２の端末デバイス４０８を含む。実際には、無線ネットワーク部分は、様々な通信セルに亘って多数の端末デバイスを取り扱う複数の基地局を含んでよいことは当然理解されるであろう。しかしながら、簡素化のために、図４において示されているのは、単一の基地局及び２つの端末デバイスである。
【００２８】
遠隔通信システム４００自体の部分ではないが、互いにワイヤレスに通信するように動作可能であり、且つ遠隔通信システム４００の無線環境内で動作する一部の他のデバイスもまた図４に示される。特に、Ｗｉ−Ｆｉ規格に従って動作する無線リンク４１８を介して互いに通信する対のワイヤレス・アクセス・デバイス４１６、及びＢｌｕｅｔｏｏｔｈ規格に従って動作する無線リンク４２２を介して互いに通信する対のＢｌｕｅｔｏｏｔｈデバイス４２０が存在する。これらの他のデバイスは、遠隔通信システム４００のための無線干渉の潜在的なソースを表す。実際には、ワイヤレス遠隔通信システム４００の無線環境において動作するさらに多くのそのようなデバイスが典型的には存在し、図４においては簡素化のために２つの対のデバイス４１６、４１８のみが示されていることは理解されるであろう。
【００２９】
従来のモバイル無線ネットワークと同様に、端末デバイス４０６、４０８は基地局（トランシーバ局）４０４へ、及び基地局４０４から、ワイヤレスでデータを通信するように構成されている。基地局は次いで、基地局４０４を介して遠隔通信システム４００における端末デバイスへ、モバイル通信サービス及びルーティングの管理を実行するように構成されたコアネットワーク部分内のサービング・ゲートウェイ、すなわちＳ−ＧＷ（図示されず）に通信可能に接続される。モビリティマネジメント及び接続性を維持するために、コアネットワーク部分４０２はまた、ホーム加入者サーバ、すなわちＨＳＳに記憶された加入者情報に基づいて、通信システム内で動作する端末デバイス４０６、４０８とのエンハンスド・パケット・サービス、すなわちＥＰＳの接続を管理するモビリティマネジメント・エンティティ（図示されず）をも含む。コアネットワークにおける他のネットワーク要素（簡素化のためにこれも図示されず）は、ポリシー課金及びリソース機能、すなわちＰＣＲＦ、パケットデータ・ネットワーク・ゲートウェイ、すなわちＰＤＮ−ＧＷを含み、ＰＤＮ−ＧＷは、コアネットワーク部分４０２から、例えばインターネット等の外部のパケットデータ・ネットワークへの接続を提供する。上記したように、図４に示される通信システム４００の様々な要素の動作は、本明細書において記載されるように本開示の実施形態に従った機能性を提供するために改変される場合を除いて、広く従来的なものであってよい。
【００３０】
端末デバイス４０６、４０８は各々、ワイヤレス信号の送信及び受信のためのトランシーバユニット４０６ａ、４０８ａ、及び本開示の実施形態に従った夫々のデバイス４０６、４０８の動作を制御するように構成されたコントローラユニット４０６ｂ、４０８ｂを備える。トランシーバユニット４０６ａ、４０８ａ内において、送信機回路及び／又は受信機回路が提供されてよい。夫々のコントローラユニット４０６ｂ、４０８ｂは、ワイヤレス遠隔通信システムに備わる従来のプログラミング／構成技術を用いて、本明細書において記載される所望の機能を提供するために適切に構成／プログラミングされたプロセッサを各々備えてよい。端末デバイス４０６、４０８の各々について、それらの夫々のトランシーバユニット４０６ａ、４０８ａ及びコントローラユニット４０６ｂ、４０８ｂは、描写表現を容易にするために別個の要素として、図４において概略的に示される。しかしながら、各端末デバイスについて、これらのユニットの機能は、様々に異なる方法、例えば、適切にプログラミングされた単一の汎用のコンピュータ、又は適切に構成された特定用途向け集積回路／回路を用いて、又は所望される機能の異なる要素を提供するための複数の別個の回路／処理要素を用いて提供されることができることは理解されるであろう。端末デバイス４０６、４０８は、概して、確立されたワイヤレス遠隔通信技術に従い、それらの動作的機能に関連付けられた他の様々な要素（例えば電源、可能であればユーザインターフェース等）を含むことは理解されるであろう。
【００３１】
さらに、各端末デバイス４０６、４０８内において、記憶デバイスが提供される。記憶デバイスは一意の識別子を記憶する。一意の識別子は各端末デバイスに対して一意であり、各端末デバイスを一意に識別し、このようにして互いに区別するために提供される。一意の識別子は、本開示の実施形態において、ＵＥの識別子（以下、「ＵＥ−ＩＤ」）である。もちろん、任意の種類の一意の識別子が想定される。例えば、一意の識別子は、任意の１つの端末デバイスが提供され得る端末デバイスのグループを単に規定するために用いられてもよい。すなわち、一意の識別子は、グローバルに一意の識別子である必要は必ずしもなく、端末デバイスのグループ化を可能にする任意の種類の識別子であればよい。
【００３２】
ワイヤレス遠隔通信の分野において通常となっているが、端末デバイスはセルラー／モバイル遠隔通信機能に加え、Ｗｉ−Ｆｉ及びＢｌｕｅｔｏｏｔｈ機能をサポートし得る。このように、夫々の端末デバイスのトランシーバユニット４０６ａ、４０８ａは、異なるワイヤレス通信動作規格に従って動作可能な機能的モジュールを備えてよい。例えば、端末デバイスのトランシーバユニットは、各々、ＬＴＥベースの動作規格に従ったワイヤレス通信をサポートするためのＬＴＥトランシーバ・モジュール、ＷＬＡＮ動作規格（例えばＷｉ−Ｆｉ規格）に従ったワイヤレス通信をサポートするためのＷＬＡＮトランシーバ・モジュール、及びＢｌｕｅｔｏｏｔｈ動作規格に従ったワイヤレス通信をサポートするためのＢｌｕｅｔｏｏｔｈトランシーバ・モジュールを含み得る。異なるトランシーバ・モジュールの基礎をなす機能は、従来の技術に従って提供されてよい。例えば、端末デバイスは各トランシーバ・モジュールの機能を提供するために別個のハードウェア要素を有してよく、又は代替的に、端末デバイスは、複数のトランシーバ・モジュールの一部又は全ての機構を提供するように構成可能である少なくとも一部のハードウェア要素を備えてもよい。このように、図４に表された端末デバイス４０６、４０８のトランシーバユニット４０６ａ、４０８ａは、ここで、従来のワイヤレス通信技術に従ったＬＴＥトランシーバ・モジュール、Ｗｉ−Ｆｉトランシーバ・モジュール、及びＢｌｕｅｔｏｏｔｈトランシーバ・モジュールの機能を提供することが想定されている。
【００３３】
基地局４０４は、ワイヤレス信号の送信及び受信のためのトランシーバユニット４０４ａ、及び基地局４０４を制御するように構成されたコントローラユニット４０４ｂを備える。コントローラユニット４０４ｂは、ワイヤレス遠隔通信システムに備わる従来のプログラミング／構成技術を用いて、本明細書において記載される所望の機能を提供するために適切に構成／プログラミングされたプロセッサを各々備えてよい。トランシーバユニット４０４ａ及びコントローラユニット４０４ｂは、描写表現を容易にするために別個の要素として、図４において概略的に示される。しかしながら、これらのユニットの機能は、様々に異なる方法、例えば、適切にプログラミングされた単一の汎用のコンピュータ、又は適切に構成された特定用途向け集積回路／回路網を用いて、又は所望される機能の異なる要素を提供するための複数の別個の回路網／処理要素を用いて提供されることができることは理解されるであろう。基地局４０４は、概して、その動作的機能に関連付けられた他の様々な要素を含むことは理解されるであろう。例えば、基地局４０４は、概して、スケジューリング通信を担うスケジューリングエンティティを含むであろう。スケジューリングエンティティの機能は、例えば、コントローラユニット４０４ｂによって包摂されてよい。
【００３４】
このように、基地局４０４は、個々の第１及び第２の無線通信リンク４１０、４１２を介して、第１及び第２の端末デバイス４０６、４０８とデータを通信するように構成される。
【００３５】
当業者によって理解されるように、端末デバイス４０６、４０８は２つのモードで動作する。第１のモードは無線リソース制御（ＲＲＣ）アイドルモード（以下、「アイドルモード」）及びＲＲＣコネクテッドモード（以下、「コネクテッドモード」）である。アイドルモードは、無線がアクティブではないが、ＩＤは端末デバイスに提供され、ネットワークによってトラッキングされる。コネクテッドモードは、基地局及びネットワークとアクティブな無線動作をしているモードである。
【００３６】
アイドルモードでは、セル再選択及び関連付けられた測定が行われる。さらに（ｉ）ネットワーク選択が実行される、及び（ｉｉ）システム情報ブロードキャストブロック（ＳＩＢブロック）がモニタリングされる、といった他の工程もある。本開示はアイドルモードにおけるセル再選択に関する。
【００３７】
セル再選択
端末デバイスは、サービングセルの無線キャリア強度が弱いか、又は適切な高強度の近隣のセルが利用可能である場合、セル再選択を行う。端末デバイスにどの周波数又はセルを測定すべきかを知ることを可能にするために、そしてどの周波数又はセルを（再）選択すべきかを評価するために用いられるパラメータを提供するために、基地局は、各端末デバイスに、周波数及びセル、並びにそれらの関連付けられたセルの再選択の優先度、閾値、及びセル再選択評価に用いられるオフセットのリストを提供する。セルのこのリストは、当業者によって理解されるように、ＳＩＢ４、５、６、７の任意のもの及びＲＲＣ接続リリースにおいて特定されてよい。
【００３８】
すなわち、セルの初期の選択の後、及び規定された基準のセットに従い、端末デバイスは、選択されたセル及び近隣のセルのＲＳＲＰを測定し、セル再選択基準が合えば、セル再選択が実行されるだろう。セル再選択の優先度及び関連付けられた閾値及びオフセットがネットワークによって選択される。セル再選択のこの既知のメカニズムは弱点を有する。
【００３９】
現在のメカニズムは、端末デバイスがアイドルモードにおいて動作する場合、複数のキャリアに亘っての負荷のバランシングを可能にしない。
【００４０】
現在、２つの異なるメカニズムが検討され、この負荷のバランシングの問題に取り組んでいる。第１のメカニズムは継続的なランダム化メカニズムであり、第２のメカニズムは「ワンショット」メカニズムである。
【００４１】
継続的なランダム化メカニズム
このメカニズムにおいては、基地のセル再選択メカニズム及びルールにできる限り従う。しかしながら、さらに、ランダム化要素が各端末デバイスにおいて適用される。概して、端末デバイスは、１つのランダム数を生成し、このランダム数は次いで、１つの候補セルに対する再選択が生じるかどうかを決定するために、１つ以上の前もって構成されたパラメータに対して比較される。端末デバイス（又は負荷のバランシング）の再分散は、統計的に分散されたランダム値を有することにより実現される。従って、前もって構成されたパラメータは、周期的にブロードキャストされ、又はシステム情報において提供される必要がある。
【００４２】
このメカニズムは複数の弱点を有する。まず、各端末デバイス内のランダム化スキームが負荷のバランシングを決定すると、ネットワークはその負荷のバランシングに対しての制御を殆ど有さなくなる。このことは、こうした状況における端末デバイスの挙動が予測不能となり得ると、特に望ましくないものである。第２の弱点は、一部の企業が、ランダム数を引くことを含むスキームに、過去に法的な問題があり、従ってそのようなスキームを利用することについて懸念していることである。このことは、たとえ利用がほとんどなかったとしても、そのような負荷のバランシングのスキームの効果を低減するだろう。
【００４３】
「ワンショット」メカニズム
このメカニズムにおいて、ネットワークが差し迫った輻輳状態を発見した場合、そのネットワークは端末デバイスを再分散する。端末デバイス（又は一群の端末デバイス）は、負荷のバランシングのために、ページングされることができる。ページングのメッセージは、以前に（すなわちＲＲＣ接続リリースにおいて）獲得した専用の優先度をアクティベートするためのトリガを含んでよい。トリガが受信された場合、端末デバイスは適切なタイマを開始し、専用の優先度を適用する。ページングのメッセージはまた、現在、優先されているキャリア／セルが一時的に最も低い優先度を割り当てられるべきであることを、端末デバイスに命令するための優先度低下リクエストを含んでよい。これはタイマによって設定された時間の期間の間である。或いは、ページングのメッセージは、一時的に最も高い優先度を所定のキャリア／セルに割り当てるための優先化リクエストを含んでよい。最終的に、ページングのメッセージは全く新たなセットの優先度を含むことができる。これらの優先度は専用の優先度に類似しており、以前に送信された優先度が現在の負荷状況を緩和するのに十分ではないことをネットワークが見出した場合、端末デバイスのサブセットを目指すものである。ページングのメッセージにおける新たなパラメータは、上述のアクション（例えば新たな優先度又は意図された再選択ターゲット周波数／セル）を走らせるために必要とされる。
【００４４】
このメカニズムも弱点を有する。まず、上述から明らかであるように、このメカニズムは複雑で、高いページング負荷を必要とする。個々の端末デバイスの各々が、夫々にページングされる必要があり、且つ専用の優先度が提供されるので、これは過度の負荷を作り出す。加えて、殆どのオペレータは専用の優先度、例えばＲＲＣ接続リリースにおいて提供されるか、又はそうでなければ専用のシグナリングによって提供されるセル再選択優先度を実施せず、かつ実施することを望んでもいない。
【００４５】
本開示の目的は、上述の２つのメカニズムの弱点を有さずに、アイドルモードにおいて負荷のバランシング問題に取り組むことである。
【００４６】
本開示
本開示の実施形態に従った端末デバイスにおいては、一意の識別子を有する。一意の識別子は、図４を参照して記載されている。一意の識別子は端末デバイス内に記憶され、端末デバイスを他の端末デバイスから一意に識別する。
【００４７】
任意の、先だって提供されているＵＥ−識別子（ＵＥ−ＩＤ）が、一意の識別子として用いられてよいことが想定されているが、本開示はそれに限定されるものではない。例えば、国際携帯機器識別番号（ＩＭＥＩ）、又は国際移動体加入者識別番号（ＩＭＳＩ）、或いは無線ネットワーク仮（一時）識別子（ＲＮＴＩ）が、一意の識別子として用いられてもよい。
【００４８】
ネットワークは、負荷のバランシングを提供するために、ＵＥ−ＩＤと共に用いられるパラメータをブロードキャストする（又はそうでなければ、端末デバイスへ提供する）。そのパラメータは、セル内の端末デバイスにブロードキャストされてもよいし、又はＲＲＣ接続リリース等の専用のシグナリングを介して提供されてもよいし、或いは前もって端末デバイスに提供されてもよい。パラメータについては後に説明される。
【００４９】
端末デバイスに提供されるパラメータは、以下の２つのパラメータのうちの少なくとも１つを含む。
【００５０】
第１は、複数のセル再選択のオフセットである。端末デバイスによって用いられるセル再選択のオフセットは、ＵＥ−ＩＤに基づいて選択される。第２のパラメータは、周波数又はセルのついての複数の絶対優先度である。端末デバイスによって用いられる優先度は、再び、ＵＥ−ＩＤに基づいて選択される。
【００５１】
上述の２つのパラメータに加えて、ネットワークは、特定のオフセット又は優先度を適用する端末デバイスの割合を制御するパラメータ、又は適用されるオフセットの量、又は相対的な優先度を制御するパラメータ（上述のパラメータのどちらが提供されるかに依存する）を提供する。この場合、ネットワークは、割合を制御するパラメータ、又はオフセットの量を制御するパラメータのいずれかを提供してよく、或いはネットワークはこれらのパラメータの両方を提供してもよいことに留意されたい。
【００５２】
上述を説明するために、特定のセルについて、複数の優先度レベル（優先度Ａ＝１、優先度Ｂ＝２）を提供するネットワークの例を検討し、ここで端末デバイスの４０％が優先度Ａを使用し、６０％が優先度Ｂを使用すべきである。
【００５３】
端末デバイスが優先度Ａ又は優先度Ｂのどちらを使用すべきかを決定するために、端末デバイスはＵＥ−ＩＤをチェックし、例えば、ＵＥ−ＩＤにおける最後の数字が０、１、２、３である場合、次いで、次いで、端末デバイスは、優先度Ａを使用しなければならないことを知り、ＵＥ−ＩＤにおける最後の数字が４、５、６、７、８、９の場合、次いで端末デバイスは優先度Ｂを使用しなければならないことを知る。そのＵＥ−ＩＤにおける特定の最後の数字を有する任意の端末デバイスの尤度が統計的に等しいと、次いで負荷がバランシングされる。これにより、ネットワークは、確実に、ワンショット・メカニズムの複雑なページング無しに、負荷がバンランシングされることを知る。もちろん、最後の数字が上で知らされていても、ＵＥ−ＩＤの任意の特定の構成が、パラメータの選択を決定するために用いられてもよい。詳細な例は以下に提供される。
【００５４】
パラメータのさらに詳細な記載がここで提供される。
【００５５】
複数のセル再選択のオフセット
現在のところ、ネットワークは、３ＧＰＰ  ＴＳ  ３６．３０４において開始されたルールに従って、端末デバイスがセル再選択の評価に適用するセル特定及び／又は周波数特定のオフセットをブロードキャストすることができる。ネットワークはまた、適用されるヒステリシスの値をもブロードキャストする。
【００５６】
Ｑｏｆｆｓｅｔｓ，ｎ
これは、２つのセル間のオフセットを特定する。
【００５７】
Ｑｏｆｆｓｅｔｆｒｅｑｕｅｎｃｙ
等しい優先度のＥ−ＵＴＲＡＮ周波数についての周波数特定のオフセット。
【００５８】
Ｑｈｙｓｔ
これはランキング基準についてのヒステリシスの値を特定する。
【００５９】
同一周波数内及び等しい優先度の周波数については、端末デバイスは、現在のセル及び近隣セルのＲＳＲＰ測定結果と共に、上述のパラメータを用いた以下の基準に従ってランキングを実行する。
【００６０】
サービングセルについての基準Ｒ２、及び近隣セルについてのＲｎのセル−ランキングは以下のように規定される。
【数１】
2018531541.tif 000003
ここで、
【表１】
2018531541.tif 000004
【００６１】
本開示の一実施形態において、ネットワークは、オフセット又はヒステリシスのいずれかに対して２つ以上の値をブロードキャストし、端末デバイスは、ＵＥ−ＩＤの機能に依存してそれらの値のうちの１つを適用する。
【００６２】
複数の絶対優先度
現在のところ、ネットワークは、セル再選択評価を実行する場合、特定の周波数に適用されるように、絶対優先度をシグナリングする。加えて、ネットワークは、同一周波数上で、セル間において端末デバイスを分散するために、セル特定の絶対優先度を提供することが可能であり得る。例えば、スモールセルはキャパシティ増加のために用いられてよい。加えて、実施形態において、セル再選択閾値は、周波数及び／又はセルの各々に対して提供される。
【００６３】
ｃｅｌｌＲｅｓｅｌｅｃｔｉｏｎＰｒｉｏｒｉｔｙ
これは、Ｅ−ＵＴＲＡＮ周波数、又はＵＴＲＡＮ周波数、又は一群のＧＥＲＡＮ周波数、或いはＣＤＭＡ２０００  ＨＲＰＤのバンドクラス、又はＣＤＭＡ２０００  １ｘＲＴＴのバンドクラスについての絶対優先度を特定する。
【００６４】
ＴｈｒｅｓｈＸ，ＨｉｇｈＰ
これは、現在のサービング周波数よりも高い優先度のＲＡＴ／周波数へと再選択する場合に、端末デバイスによって用いられるＳｒｘｌｅｖ閾値（ｄＢ）を特定する。Ｅ−ＵＴＲＡＮ及びＵＴＲＡＮの各周波数、各群のＧＥＲＡＮ周波数、ＣＤＭＡ２０００  ＨＲＰＤ、及びＣＤＭＡ２０００  １ｘＲＴＴの各バンドクラスは特定の閾値を有し得る。
【００６５】
ＴｈｒｅｓｈＸ，ＨｉｇｈＱ
これは、現在のサービング周波数よりも高い優先度のＲＡＴ／周波数へと再選択する場合に、端末デバイスによって用いられるＳｑｕａｌ閾値（ｄＢ）を特定する。Ｅ−ＵＴＲＡＮ及びＵＴＲＡＮ  ＦＤＤの各周波数は特定の閾値を有し得る。
【００６６】
ＴｈｒｅｓｈＸ，ＬｏｗＰ
これは、現在のサービング周波数よりも低い優先度のＲＡＴ／周波数へと再選択する場合に、端末デバイスによって用いられるＳｒｘｌｅｖ閾値（ｄＢ）を特定する。Ｅ−ＵＴＲＡＮ及びＵＴＲＡＮの各周波数、各群のＧＥＲＡＮ周波数、ＣＤＭＡ２０００  ＨＲＰＤ、及びＣＤＭＡ２０００  １ｘＲＴＴの各バンドクラスは特定の閾値を有し得る。
【００６７】
ＴｈｒｅｓｈＸ，ＬｏｗＱ
これは、現在のサービング周波数よりも低い優先度のＲＡＴ／周波数へと再選択する場合に、端末デバイスによって用いられるＳｑｕａｌ閾値（ｄＢ）を特定する。Ｅ−ＵＴＲＡＮ及びＵＴＲＡＮ  ＦＤＤの各周波数は特定の閾値を有し得る。
【００６８】
ＴｈｒｅｓｈＳｅｒｖｉｎｇ，ＬｏｗＰ
これは、より低い優先度のＲＡＴ／周波数へと再選択する場合に、サービングセル上で端末デバイスによって用いられるＳｒｘｌｅｖ閾値（ｄＢ）を特定する。
【００６９】
ＴｈｒｅｓｈＳｅｒｖｉｎｇ，ＬｏｗＱ
これは、より低い優先度のＲＡＴ／周波数へと再選択する場合に、サービングセル上で端末デバイスによって用いられるＳｑｕａｌ閾値（ｄＢ）を特定する。
【００７０】
上述で示したように、再選択のルールは、異なる優先度のレイヤ（ここでレイヤとは周波数又はＲＡＴを意味する）について、３ＧＰＰ  ＴＳ  ３６．３０４、セクション５．２．４．５において規定されている。しかしながら、本開示の文脈において、最も重要な２つのルールは以下である。
（１）より高い優先度
より高い優先度、ＵＴＲＡＮ  ＴＤＤ、ＧＥＲＡＮ、又はＣＤＭＡ２０００  ＲＡＴ／周波数のセルは、時間間隔ＴｒｅｓｅｌｅｃｔｉｏｎＲＡＴの間、Ｓｒｘｌｅｖ＞ＴｈｒｅｓｈＸ，ＨｉｇｈＰを満たす。
（２）より低い優先度
サービング周波数よりも低い優先度のＥ−ＵＴＲＡＮ周波数又は異ＲＡＴ間周波数のセルへのセル再選択は、以下の場合、実行される：
−    サービングセルがＳｒｘｌｅｖ＜ＴｈｒｅｓｈＳｅｒｖｉｎｇ，ＬｏｗＰを満たし、低い優先度のＲＡＴ／周波数のセルが、時間間隔ＴｒｅｓｅｌｅｃｔｉｏｎＲＡＴの間、Ｓｒｘｌｅｖ＞ＴｈｒｅｓｈＸ，ＬｏｗＰを満たす；
【００７１】
この開示の一実施形態において、ネットワークは、このｃｅｌｌＲｅｓｅｌｅｃｔｉｏｎＰｒｉｏｒｉｔｙについて、２つ以上の値をブロードキャストする。本実施形態に対しては、必要に応じて、複数の閾値もまたブロードキャストされてよく、端末デバイスは、ＵＥ−ＩＤに依存して、それらの値の１つを適用する。
【００７２】
特定のオフセット又は優先度を適用するＵＥの割合を制御するパラメータ
このパラメータを説明するために、我々はＵＥ−ＩＤの機能がどのようなものであり得るかについての一部の例を使用する必要がある。
【００７３】
本開示の一実施形態において、ＵＥ−ＩＤはページング時機及びページングフレームを計算するために、端末デバイスによって用いられる識別子であってよい。これは３ＧＰＰ  ＴＳ  ３６．３０４に従っている（関連のセクションは付録Ａに提供されている）。
【００７４】
付録Ａに示されるページング時機のための計算が意図するのは、利用可能なリソース内で端末デバイスを均一に分散させることである。言い換えれば、機能がランダムではない任意の特定の端末デバイスについて、セル内の端末デバイス全てを考慮する場合、これはランダム化されており、均一に分散されている。
【００７５】
本開示の１つの実現可能なこととしては、許可された／シグナリングされたオフセット又は優先度において端末デバイスを常に均一に分散させることである。しかしながら、これは、どの周波数に対してどの程度の割合（又は分数）で端末デバイスが分散されるかをネットワークが制御可能であるべきであるという要件を満たさない。それゆえ、端末デバイスの割合を制御することは有益であろう。また、どのＵＥ−ＩＤがどの優先度を適用するのかを明示的に特定することも有益であろう。
【００７６】
上述で簡潔に説明した例はさらに詳細に、以下で提供される。
【００７７】
以下の例において、ネットワークは割合（例えば、０（０％）〜１０（１００％）の範囲の整数の値）をブロードキャストする。その値をＮで示す。
【００７８】
例えば、ネットワークはその値、Ｎ＝４（４０％）をブロードキャストする。
【００７９】
端末デバイスは、ＵＥ−ＩＤ  ｍｏｄ  １０を計算し、値は０〜９の結果となる。
【００８０】
その値が＜４である場合、次いで端末デバイスは第１の優先度を選択する。その値が≧４である場合、次いで端末デバイスは第２の優先度を選択する。このファンクションは以下のように表されることができる。
【数２】
2018531541.tif 000005
【００８１】
これにより、ネットワークは、第１のシグナリングされた優先度（おそらくは比較的低い）を選択する端末デバイスの割合、及び第２のシグナリングされた優先度（おそらくは比較的高い）を選択する端末デバイスの割合を制御し、それゆえ周波数又はセル内の端末デバイスの分数を分散させる目的を達成することができる。第１又は第２の優先度のいずれかはレガシーのシグナリングされた値であってよい。理解されるように、レガシーのシグナリングされた値は、システム情報において、全ての端末デバイスに現在送信された値である。実施形態においては、この値は、ＵＥ−ＩＤに依存して、代替値として、追加の優先度を用いて送信されてもよい。値Ｎの不在は、均一な分散（２つのシグナリングされた優先度内で５０／５０に分割、従ってＮ＝５）を示し得る。言い換えれば、端末デバイスは、ネットワークによって伝えられない場合、ある分散を想定する。この場合、ネットワークは端末デバイスに変更を通知するだろう。すなわち、ネットワークによって提供された値Ｎは、レガシーのシグナリングされた値に加算又は減算され得る（例えば、Ｎ＝２及びレガシー値＝３の場合、次いで追加の優先度値＝５）。このデフォルトの想定は、デフォルトの想定が正しくない場合に、ネットワークは端末デバイスのみにシグナリングするので、デフォルトがネットワークの通常の選択である場合にはシグナリングが減じられる、という利点を有する。
【００８２】
１つの追加の選択肢としては、固定されたオフセット又は優先度値（又は、シグナリングされない場合はデフォルト）を用いることである。例えば、第２の優先度がシグナリングされない場合、次いで端末デバイスは、ＵＥ−ＩＤのファンクションが満たされる場合、最も高い（又は最も低い）可能な優先度を適用する。
【００８３】
同じ着想は、３つ以上の優先度のリストに対しても適用されることができる。ネットワークは次いで、それらの優先度の各々に適用するために、端末デバイスの割合をシグナリングする。
【００８４】
追加の制御パラメータはオフセットをＵＥ−ＩＤに適用することができる。これにより、ネットワークは、どのＵＥ−ＩＤがどの優先度を適用するかを変更させることができる。例えば、オフセット値はＸで示され、０〜９の範囲の数字である。
【数３】
2018531541.tif 000006
【００８５】
異なるセットの端末デバイスが異なる周波数上の基地局と通信することができるように、ネットワークは周期的にパラメータＸをアップデートし得る。
【００８６】
別の代替例としては、どのＵＥ−ＩＤがどの優先度を適用するか正確に特定するリストを提供することである。例えば、第１のシグナリングされた優先度と共に、ネットワークは０〜９の範囲の数字のリストを提供する。
【００８７】
例えば、優先度１は、値１、４、５、７と共にシグナリングされる。次いで、ＵＥ−ＩＤ  ｍｏｄ  １０＝１、４、５又は７を用いて、全ての端末デバイスはこの優先度を適用し、他のＵＥ−ＩＤは別の優先度（これはデフォルトのレガシーの値であってもよい）を適用する。
【００８８】
オフセットの量又は相対的な優先度を制御するパラメータ
このパラメータは、明示的な優先度又はオフセットをシグナリングすること、及びその割合又は分数を特定するためにＵＥ−ＩＤを用いることの代替として、用いられる。
【００８９】
シグナリングされた値のうちの１つを選択する代わりに、端末デバイスはＵＥ−ＩＤに基づいて優先度又はオフセットを計算する。
【００９０】
例えば、現在、セル再選択優先度は０〜７の値が与えられることができる。それゆえ、優先度を均一に広げるには、ファンクションは以下のように用いられることができる。
【数４】
2018531541.tif 000007
同様に、適用されたオフセットはＵＥ−ＩＤに基づいて計算可能である。
【数５】
2018531541.tif 000008
【００９１】
図５は、端末デバイスによって実行されるステップを示すフローチャート５００を示す。プロセスはステップ５０５から始まる。端末デバイスは、ステップ５１０において、基地局からパラメータデータを受信する。図５は、上述したように、アイドルモード（例えば、システム情報ブロードキャスティング及び／又はページングにおいて）の間にパラメータデータを受信することを述べているが、本開示はそれに限定されず、そのパラメータデータはＲＲＣ接続リリースの間、又は任意の適切の時機において提供されてもよい。端末デバイスは、次いでステップ５１５において、セルの再選択を決定するために、その一意の識別子（例えば、そのＵＥ−ＩＤ）及びそのパラメータデータを用いる。端末デバイスは、次いでステップ５２０において、セルの再選択を行う。プロセスはステップ５２５で終了する。
【００９２】
本開示は、３ＧＰＰ及び必要に応じてＬＴＥモバイルシステムに関して検討されてきたが、これらの例に限定されない。同様に、上記記載が３ＧＰＰ又は他の規格の現時点での名前又は特徴に時に基づき得る用語を使用しているとしても、本開示の教示はこの既存の手順又は規格に限定されず、また任意の適切な構成に適用されることが意図されている。
【００９３】
以下の項目は本技術の更なる例示的な側面及び特徴を規定する。
【００９４】
参照
（１）  ＬＴＥ  ｆｏｒ  ＵＭＴＳ：  ＯＦＤＭＡ  ａｎｄ  ＳＣ−ＦＤＭＡ  Ｂａｓｅｄ  Ｒａｄｉｏ  Ａｃｃｅｓｓ，  Ｈａｒｒｉｓ  Ｈｏｌｍａ及びＡｎｔｔｉ  Ｔｏｓｋａｌａ，  Ｗｉｌｅｙ  ２００９，  ＩＳＢＮ  ９７８−０−４７０−９９４０１−６；
【００９５】
１．セルラーワイヤレス遠隔通信ネットワークにおいて、基地局からパラメータデータを受信するように構成された受信機回路と、
端末デバイスを一意に識別する識別子を記憶するように構成された記憶デバイスと、
前記端末デバイスを制御するように構成された制御回路であって、アイドルモードで動作する場合、前記受信されたパラメータデータと前記記憶された一意の識別子とに由来する少なくとも１つのセル再選択パラメータを用いてセル再選択を実行する、制御回路とを備える、端末デバイス。
２．前記識別子はＵＥの識別子である、項１に記載の端末デバイス。
３．前記ＵＥの識別子は国際移動体加入者識別番号（ＩＭＳＩ）である、項２に記載の端末デバイス。
４．前記セル再選択パラメータは、周波数又はセルについての複数のセル再選択のオフセット又は複数の絶対優先度のうちの１つである、項１、２または３に記載の端末デバイス。
５．前記パラメータデータは、前記周波数又はセルについての複数のセル再選択のオフセット又は複数の絶対優先度を含む、項４に記載の端末デバイス。
６．前記制御回路は、前記一意の識別子に基づいて優先度又はオフセットを計算するように構成された、項４に記載の端末デバイス。
７．前記パラメータデータは、（ｉ）特定のオフセット値又は優先度を適用する端末デバイスの割合を制御するパラメータ、又は（ｉｉ）適用されるオフセットの量又は相対的な優先度を制御するパラメータのいずれかをさらに含む、項４に記載の端末デバイス。
８．前記オフセット値は、デフォルトの割合とは異なる値を提供する、項４に記載の端末デバイス。
９．前記オフセット値は、デフォルトの割合とは異なる値を提供する、項６に記載の端末デバイス。
１０．前記パラメータデータは、前記記憶された一意の識別子に適用されるオフセットをさらに含む、項７に記載の端末デバイス。
１１．項１〜１０のいずれか一項に記載の端末デバイスと通信する基地局を含む通信システム。
１２．セルラーワイヤレス遠隔通信ネットワークにおいて、端末デバイスを動作させる方法であって、前記方法は、
前記セルラーワイヤレス遠隔通信ネットワークにおいて、基地局からパラメータデータを受信することと、
前記端末デバイスを一意に識別する識別子を記憶することと、
前記端末デバイスを制御することであって、アイドルモードで動作する場合、前記受信されたパラメータデータと前記記憶された一意の識別子とに由来する少なくとも１つのセル再選択パラメータを用いてセル再選択を実行する、ことを含む方法。
１３．前記識別子はＵＥの識別子である、項１２に記載の方法。
１４．前記ＵＥの識別子は国際移動体加入者識別番号（ＩＭＳＩ）である、項１３に記載の方法。
１５．前記セル再選択パラメータは、周波数又はセルについての複数のセル再選択のオフセット又は複数の絶対優先度のうちの１つである、項１２、１３または１４に記載の方法。
１６．前記パラメータデータは、前記周波数又はセルについての複数のセル再選択のオフセット又は複数の絶対優先度を含む、項１５に記載の方法。
１７．前記一意の識別子に基づいて優先度又はオフセットを計算することを含む、項１５に記載の方法。
１８．前記パラメータデータは、（ｉ）特定のオフセット値又は優先度を適用する端末デバイスの割合を制御するパラメータ、又は（ｉｉ）適用されるオフセットの量又は相対的な優先度を制御するパラメータのいずれかをさらに含む、項１５に記載の方法。
１９．前記オフセット値は、デフォルトの割合とは異なる値を提供する、項１５に記載の方法。
２０．前記オフセット値は、デフォルトの割合とは異なる値を提供する、項１７に記載の方法。
２１．前記パラメータデータは、前記記憶された一意の識別子に適用されるオフセットをさらに含む、項１８に記載の方法。
２２．コンピュータにロードされた場合、前記コンピュータを項１２に記載の方法を実行させるように構成する、コンピュータ可読命令を含むコンピュータプログラム製品。
【００９６】
付録Ａ
７．１    ページングのための不連続受信
【００９７】
ＵＥは、電力消費を低減するために、アイドルモードにおける不連続受信（ＤＲＸ）を使用し得る。一回のページング時機（ＰＯ）は１つのサブフレームであり、このサブフレームには、ページングメッセージをアドレスする、ＰＤＣＣＨ上で伝送されるＰ−ＲＮＴＩが存在し得る。１つのページングフレーム（ＰＦ）は１つの無線フレームであり、この無線フレームは１つ又は複数のページング時機を含み得る。ＤＲＸが用いられる場合、ＵＥは、ＤＲＸのサイクルにつき１つのＰＯをモニタリングする必要があるのみである。
【００９８】
ＰＦ及びＰＯは、システム情報において提供されるＤＲＸパラメータを用いる以下の式によって決定される。
【００９９】
ＰＦは以下の等式によって与えられる。
【数６】
2018531541.tif 000009
７．２において規定されたサブフレームパターンからＰＯを示すＩｎｄｅｘ  ｉ＿ｓは以下の計算から導き出される。
【数７】
2018531541.tif 000010
【０１００】
ＵＥに記憶されたシステム情報ＤＲＸパラメータは、そのＤＲＸパラメータ値がＳＩにおいて変更される都度、ＵＥにおいてローカルでアップデートされる。ＵＥがＩＭＳＩを持たない場合、例えば、ＵＳＩＭ無しで緊急呼び出しをする場合、ＵＥは、デフォルトのＩＤとして、ＰＦにおいてＵＥ＿ＩＤ＝０及び上述のｉ＿ｓの式を用いる。
【０１０１】
以下のパラメータはＰＦ及びｉ＿ｓの計算のために用いられる。
−  Ｔ：ＵＥのＤＲＸサイクル。Ｔは、上位層によって割り当てられた場合、ＵＥ特定のＤＲＸ値の最も短いもの、及びシステム情報におけるデフォルトのＤＲＸ値ブロードキャストによって決定される。ＵＥ特定のＤＲＸが上位層によって構成されない場合、デフォルトの値が適用される。
−  ｎＢ：４Ｔ、２Ｔ、Ｔ、Ｔ／２、Ｔ／４、Ｔ／８、Ｔ／１６、Ｔ／３２．
−  Ｎ：ｍｉｎ（Ｔ、ｎＢ）
−  Ｎｓ：ｍａｘ（１、ｎＢ／Ｔ）
−ＵＥ＿ＩＤ：ＩＭＳＩ  ｍｏｄ  １０２４．
【０１０２】
ＩＭＳＩは、一続きの数字の整数（０〜９）として与えられ、ＩＭＳＩは、上述の式において、十進整数の数として解釈され、ここでその一続きに与えられた最初の数字は最上位の数を表す。
【０１０３】
例として以下。
【数８】
2018531541.tif 000011
この計算において、これは十進整数「１２」として解釈され、「１×１６＋２＝１８」ではない。
【図１】
2018531541.tif 000012
【図２】
2018531541.tif 000013
【図３】
2018531541.tif 000014
【図４】
2018531541.tif 000015
【図５】
2018531541.tif 000016
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
セルラーワイヤレス遠隔通信ネットワークにおいて、基地局からパラメータデータを受信するように構成された受信機回路網と、
端末デバイスを一意に識別する識別子を記憶するように構成された記憶デバイスと、
前記端末デバイスを制御するように構成された制御回路網であって、アイドルモードで動作する場合、前記受信されたパラメータデータと前記記憶された一意の識別子とに由来する少なくとも１つのセル再選択パラメータを用いてセル再選択を実行する、制御回路網とを備える、端末デバイス。
【請求項２】
前記識別子はＵＥの識別子である、請求項１に記載の端末デバイス。
【請求項３】
前記ＵＥの識別子は国際移動体加入者識別番号（ＩＭＳＩ）である、請求項２に記載の端末デバイス。
【請求項４】
前記セル再選択パラメータは、周波数又はセルについての複数のセル再選択のオフセット又は複数の絶対優先度のうちの１つである、請求項１に記載の端末デバイス。
【請求項５】
前記パラメータデータは、前記周波数又はセルについての複数のセル再選択のオフセット又は複数の絶対優先度を含む、請求項４に記載の端末デバイス。
【請求項６】
前記制御回路網は、前記一意の識別子に基づいて優先度又はオフセットを計算するように構成された、請求項４に記載の端末デバイス。
【請求項７】
前記パラメータデータは、（ｉ）特定のオフセット又は優先度を適用する端末デバイスの割合を制御するパラメータ、又は（ｉｉ）適用されるオフセットの量又は相対的な優先度を制御するパラメータのいずれかをさらに含む、請求項４に記載の端末デバイス。
【請求項８】
前記オフセットは、デフォルトの割合とは異なる値を提供する、請求項４に記載の端末デバイス。
【請求項９】
前記オフセットは、デフォルトの割合とは異なる値を提供する、請求項６に記載の端末デバイス。
【請求項１０】
前記パラメータデータは、前記記憶された一意の識別子に適用されるオフセットをさらに含む、請求項７に記載の端末デバイス。
【請求項１１】
請求項１に記載の端末デバイスと通信する基地局を含む通信システム。
【請求項１２】
セルラーワイヤレス遠隔通信ネットワークにおいて、端末デバイスを動作させる方法であって、前記方法は、
前記セルラーワイヤレス遠隔通信ネットワークにおいて、基地局からパラメータデータを受信することと、
前記端末デバイスを一意に識別する識別子を記憶することと、
前記端末デバイスを制御することであって、アイドルモードで動作する場合、前記受信されたパラメータデータと前記記憶された一意の識別子とに由来する少なくとも１つのセル再選択パラメータを用いてセル再選択を実行する、ことを含む方法。
【請求項１３】
前記識別子はＵＥの識別子である、請求項１２に記載の方法。
【請求項１４】
前記ＵＥの識別子は国際移動体加入者識別番号（ＩＭＳＩ）である、請求項１３に記載の方法。
【請求項１５】
前記セル再選択パラメータは、周波数又はセルについての複数のセル再選択のオフセット又は複数の絶対優先度のうちの１つである、請求項１２に記載の方法。
【請求項１６】
前記パラメータデータは、前記周波数又はセルについての複数のセル再選択のオフセット又は複数の絶対優先度を含む、請求項１５に記載の方法。
【請求項１７】
前記一意の識別子に基づいて優先度又はオフセットを計算することを含む、請求項１５に記載の方法。
【請求項１８】
前記パラメータデータは、（ｉ）特定のオフセット又は優先度を適用する端末デバイスの割合を制御するパラメータ、又は（ｉｉ）適用されるオフセットの量又は相対的な優先度を制御するパラメータのいずれかをさらに含む、請求項１５に記載の方法。
【請求項１９】
前記オフセットは、デフォルトの割合とは異なる値を提供する、請求項１５に記載の方法。
【請求項２０】
前記オフセットは、デフォルトの割合とは異なる値を提供する、請求項１７に記載の方法。
【請求項２１】
前記パラメータデータは、前記記憶された一意の識別子に適用されるオフセットをさらに含む、請求項１８に記載の方法。
【請求項２２】
コンピュータにロードされた場合、前記コンピュータを請求項１２に記載の方法を実行させるように構成する、コンピュータ可読命令を含むコンピュータプログラム。
【国際調査報告】
2018531541.tif 000017
2018531541.tif 000018
2018531541.tif 000019